(57)【要約】【課題】壁を傷つけることがなく、また、小壁等を壁の色に合わせるといった面倒な作業を不要とすることのできる間仕切り収納家具の設置構造を提供する。【解決手段】オープンスペースを間仕切りするために、複数の間仕切り収納家具１を左右に並べた設置構造であって、左右両端部に位置する家具の外側面をそれぞれ左右の壁Ｋに当接すると共に、家具同士間に隙間を形成し、隙間に、家具を左右に移動させ壁Ｋに押し付ける突っ張り治具２を介在させると共に、隙間を縦長化粧板３で閉塞する。また、間仕切り収納家具１の下面に、昇降自在なアジャスター４を取付け、アジャスター４を上昇させて収納家具１の上面を天井Ｔに当接させ、収納家具１と床Ｙとの隙間を下部化粧板５で塞ぐ。【選択図】      図１
2004313599.tif 000002
【特許請求の範囲】
【請求項１】
オープンスペースを間仕切りするために、複数の間仕切り収納家具を左右に並べた設置構造であって、
左右両端部に位置する家具の外側面をそれぞれ左右の壁に当接すると共に、家具同士間に隙間を形成し、
前記隙間に、前記家具を左右に移動させ壁に押し付ける突っ張り治具を介在させると共に、前記隙間を、縦長化粧板で閉塞してなることを特徴とする間仕切り収納家具の設置構造。
【請求項２】
前記間仕切り収納家具の下面に、昇降自在なアジャスターを取付け、該アジャスターを上昇させて前記収納家具の上面を天井に当接させ、前記収納家具と床との隙間を下部化粧板で閉塞してなることを特徴とする請求項１に記載の間仕切り収納家具の設置構造。
【請求項３】
前記間仕切り収納家具の上面と天井との間に、該間仕切り収納家具の扉側と背板側に設けた一対の上部化粧材の左右両端部を、外側に端部が突設された側板で連結した枠体を配置し、
オープンスペースに廻り縁が存在しない場合には、前記側板の外面だけを壁に当接させ、
オープンスペースに廻り縁が存在する場合には、前記側板の端部を切除して側板を内方に移動し、その側板の外面と前記一対の上部化粧材の端面を前記廻り縁に当接させてなることを特徴とする請求項１または２に記載の間仕切り収納家具の設置構造。
【請求項４】
前記間仕切り収納家具の上面と天井との間に、該間仕切り収納家具の扉側と背板側に設けた一対の上部化粧材で外側に端部が突設された左右両端部を、側板で連結した枠体を配置し、
オープンスペースに廻り縁が存在しない場合には、前記側板の外面と前記一対の上部化粧材の端部の面を壁に当接させ、
オープンスペースに廻り縁が存在する場合には、前記側板を内方に移動した状態で突出する前記上部化粧材端部の余剰部を切除して、その側板の外面と前記切除された上部化粧材の端面を前記廻り縁に当接させてなることを特徴とする請求項１または２に記載の間仕切り収納家具の設置構造。
【請求項５】
前記下部化粧板と壁との間に端板を配置するものとし、
オープンスペースに幅木が存在しない場合には、前記端板として、正面矩形状で側面に垂直状外面が形成されたものを使用して、その垂直状外面を壁に当接させ、
オープンスペースに幅木が存在する場合には、前記端板として、下部が切除された正面略逆Ｌ字状のものを使用して、その切除された段差状の外面を前記幅木に当接させてなることを特徴とする請求項２乃至４のうちいずれか一つに記載の間仕切り収納家具の設置構造。
【発明の詳細な説明】
【０００１】
【発明の属する技術分野】
本発明は、住宅やオフィス等において、部屋を間仕切りするために使用する間仕切り収納家具の設置構造に関するものである。
【０００２】
【従来の技術】
近年、住宅を始めとする建築物の構造躯体の耐久性が向上したのに伴い、オープンスペースを設けるように設計し、家族構成等に合わせて、間仕切りでそのオープンスペースを複数の部屋に区切って使用する手法が多く採用されている。
そして、この間仕切りの手段として、扉やパネル材の他に、複数の収納家具を設置する構造が広く用いられている（例えば、特許文献１参照）。
【０００３】
【特許文献１】
特開２００１−２０７５７５号公報
【０００４】
こうした複数の収納家具を設置する場合、当該収納家具同士を密着させて設置し、これにより収納家具と壁との間に形成される隙間に突っ張り金具を設け、この突っ張り金具で収納家具を押圧して支持している。そして、この隙間を、フィラーを詰めたり、石膏ボードで小壁を形成する等して塞いでいる。
【０００５】
【発明が解決しようとする課題】
しかしながら、上述したような収納家具同士を密着させて設置する手段では、当該収納家具と壁との間に形成される隙間に突っ張り金具を設けているので、壁の一部に強い押圧力を作用させることになり、その結果、壁を傷つけてしまうといった問題がある。そのため、間仕切りを変更等する際には、壁紙を貼り替えたり、損傷した壁を修復する必要が生じ、本来必要としない厄介な作業を要していた。
また、収納家具と壁との隙間を塞ぐフィラーや石膏ボードの小壁を、壁の色に合わせる必要もあるので、そうした作業も面倒であった。
【０００６】
そこで、本発明の目的とするところは、壁を傷つけることがなく、また、小壁等を壁の色に合わせると言った面倒な作業を不要とすることのできる間仕切り収納家具の設置構造を提供することにある。
【０００７】
【課題を解決するための手段】
上記の目的を達成するために、本発明の請求項１に記載の間仕切り収納家具の設置構造は、オープンスペースを間仕切りするために、複数の間仕切り収納家具（１）を左右に並べた設置構造であって、左右両端部に位置する家具の外側面をそれぞれ左右の壁（Ｋ）に当接すると共に、家具同士間に隙間を形成し、前記隙間に、前記家具を左右に移動させ壁（Ｋ）に押し付ける突っ張り治具（２）を介在させると共に、前記隙間を、縦長化粧板（３）で閉塞してなることを特徴とする。
【０００８】
また、請求項２に記載の間仕切り収納家具の設置構造は、前記間仕切り収納家具（１）の下面に、昇降自在なアジャスター（４）を取付け、当該アジャスター（４）を上昇させて前記収納家具（１）の上面を天井（Ｔ）に当接させ、前記収納家具（１）と床（Ｙ）との隙間を下部化粧板（５）で閉塞してなることを特徴とする。
【０００９】
さらに、請求項３に記載の間仕切り収納家具の設置構造は、前記間仕切り収納家具（１）の上面と天井（Ｔ）との間に、当該間仕切り収納家具（１）の扉側と背板側に設けた一対の上部化粧材（７）の左右両端部を、外側に端部（８ａ）が突設された側板（８）で連結した枠体（６）を配置し、オープンスペースに廻り縁（Ｍ）が存在しない場合には、前記側板（８）の外面だけを壁（Ｋ）に当接させ、オープンスペースに廻り縁（Ｍ）が存在する場合には、前記側板（８）の端部（８ａ）を切除して側板（８）を内方に移動し、その側板（８）の外面と前記一対の上部化粧材（７）の端面（７ａ）を前記廻り縁（Ｍ）に当接させてなることを特徴とする。
【００１０】
また、請求項４に記載の間仕切り収納家具の設置構造は、前記間仕切り収納家具（１）の上面と天井（Ｔ）との間に、当該間仕切り収納家具（１）の扉側と背板側に設けた一対の上部化粧材（７）で外側に端部（７ｂ）が突設された左右両端部を、側板（８）で連結した枠体（６）を配置し、オープンスペースに廻り縁（Ｍ）が存在しない場合には、前記側板（８）の外面と前記一対の上部化粧材（７）の端部（７ｂ）の面（７ｃ）を壁（Ｋ）に当接させ、オープンスペースに廻り縁（Ｍ）が存在する場合には、前記側板（８）を内方に移動した状態で突出する前記上部化粧材（７）端部（７ｂ）の余剰部を切除して、その側板（８）の外面と前記切除された上部化粧材（７）の端面（７ｄ）を前記廻り縁（Ｍ）に当接させてなることを特徴とする。
【００１１】
またさらに、請求項５に記載の間仕切り収納家具の設置構造は、前記下部化粧板（５）と壁（Ｋ）との間に端板（９）を配置するものとし、オープンスペースに幅木（Ｈ）が存在しない場合には、前記端板（９）として、正面矩形状で側面に垂直状外面が形成されたものを使用して、その垂直状外面を壁（Ｋ）に当接させ、オープンスペースに幅木（Ｈ）が存在する場合には、前記端板（９）として、下部が切除された正面略逆Ｌ字状のものを使用して、その切除された段差状の外面を前記幅木（Ｈ）に当接させてなることを特徴とする。
【００１２】
なお、カッコ内の記号は、図面および後述する発明の実施の形態に記載された対応要素または対応事項を示す。
【００１３】
本発明の請求項１に記載の間仕切り収納家具の設置構造によれば、突っ張り治具を利用して左右両端部に位置する家具の外側面をそれぞれ左右の壁に当接させるので、壁を傷付けることなく、かつ、外観の見栄えを良好に維持しつつ、オープンスペースを間仕切りすることができる。また、家具同士間に形成した隙間を縦長化粧板で閉塞したので、縦長化粧板の色を、壁の色に合わせる必要もない。
【００１４】
すなわち、左右の壁には間仕切り収納家具の側面全体を当接させて押圧力を分散させるので、従来のように壁の一部に強い押圧力を作用させることがなく、よって、壁を傷つけない。
また、縦長化粧板は、隣接する間仕切り収納家具の間の隙間に設けるので、当該間仕切り収納家具と同じ色のものを使用すれば良く、壁の色に合わせる必要はない。縦長化粧板は、あらかじめ製造しておくことによって容易に施工できる。
【００１５】
また、請求項２に記載の発明によれば、請求項１に記載の発明の作用効果に加えて、間仕切り収納家具の下面に、昇降自在なアジャスターを取付け、そのアジャスターを上昇させて収納家具の上面を天井に当接させ、当該収納家具と床との隙間を下部化粧板で塞ぐので、オープンスペースを不要な隙間を形成することなく確実に間仕切ることができる。また、下部化粧板は、収納家具と床との下位に位置する隙間を塞ぐので、収納家具と天井との高所の隙間を塞ぐ場合と比較して、作業が容易である。
【００１６】
さらに、請求項３に記載の発明によれば、請求項１または２に記載の発明の作用効果に加えて、前記間仕切り収納家具の上面と天井との間に、その間仕切り収納家具の扉側と背板側に設けた一対の上部化粧材の左右両端部を、外側に端部が突設された側板で連結した枠体を配置しており、また、オープンスペースに廻り縁が存在しない場合には、側板の外面だけを壁に当接させ、オープンスペースに廻り縁が存在する場合には、側板の端部を切除して側板を内方に移動し、その側板の外面と前記一対の上部化粧材の端面を前記廻り縁に当接させるので、同一モジュールの枠体を揃えておくことで、現場において、廻り縁がある場合とない場合の双方に容易に対応することができる。
【００１７】
また、請求項４に記載の発明によれば、請求項１または２に記載の発明の作用効果に加えて、前記間仕切り収納家具の上面と天井との間に、その間仕切り収納家具の扉側と背板側に設けた一対の上部化粧材で外側に端部が突設された左右両端部を、側板で連結した枠体を配置しており、また、オープンスペースに廻り縁が存在しない場合には、側板の外面と前記一対の上部化粧材の端部の面を壁に当接させ、オープンスペースに廻り縁が存在する場合には、前記側板を内方に移動した状態で突出する前記上部化粧材端部の余剰部を切除して、その側板の外面と前記切除された上部化粧材の端面を前記廻り縁に当接させるので、同一モジュールの枠体を揃えておくことで、現場において、廻り縁がある場合とない場合の双方に容易に対応することができる。
【００１８】
またさらに、請求項５に記載の発明によれば、請求項２乃至４のうちいずれか一つに記載の発明の作用効果に加えて、下部化粧板と壁との間に端板を配置するものとし、オープンスペースに幅木が存在しない場合には、前記端板として、正面矩形状で側面に垂直状外面が形成されたものを使用して、その垂直状外面を壁に当接させ、オープンスペースに幅木が存在する場合には、前記端板として、下部が切除された正面略逆Ｌ字状のものを使用して、その切除された段差状の外面を前記幅木に当接させてなるので、その両方を揃えておくことにより、現場において、幅木の有無を確認することによって、いずれか一方を自由に選択することができる。なお、端板は、枠板等と異なり、ごく小型であるため、両方を揃えておいても嵩張らない。
【００１９】
【発明の実施の形態】
（第一実施形態）
図１および図２を参照して、本発明の第一実施形態に係る間仕切り収納家具の設置構造について説明する。図１は、当該設置構造を示す正面図であり、図２はそれに使用される縦長化粧板３を示す部分拡大斜視図である。
【００２０】
本発明の第一実施形態に係る間仕切り収納家具の設置構造は、住宅のオープンスペースを間仕切りするために、二つの間仕切り収納家具１を左右に並べたものである。そして、各収納家具１の外側面をそれぞれ左右の壁Ｋに当接させて、両家具間に隙間を形成している。また、この隙間に、突っ張り治具２を介在させて、当該両家具を左右外方に向けて移動させ、すなわち壁Ｋに押し付け、面同士で当接させることにより安定姿勢を保持している。また、隙間を、収納家具１と同じ色の縦長化粧板３で閉塞している。
【００２１】
また、間仕切り収納家具１の下面に、昇降自在なアジャスター４を取付け、このアジャスター４を上昇させて収納家具１の上面を天井Ｔに当接させている。さらに、収納家具１と床Ｙとの隙間を、収納家具１と同色の下部化粧板５で塞いでいる。なお、図示は省略したが、収納家具１の下面には、移動用のキャスターが取付けられている。キャスターは、アジャスター４の上昇に従って床Ｙから離れるようになっいる。
【００２２】
この間仕切り収納家具の設置構造は、左右の家具の外側面を壁Ｋに当接させているので、当該壁Ｋに作用する押圧力を分散させることができ、よって当該壁Ｋを傷めることがない。
また、縦長化粧板３は、左右の家具の間に形成される隙間に設けられるので、あらかじめ収納家具１の色に合わせたものを製造しておけば良く、各現場によって異なるそれぞれの壁Ｋの色に逐一合わせる必要がない。
さらに、アジャスター４を上昇させて収納家具１の上面を天井Ｔに当接させ、当該収納家具１と床Ｙとの隙間を下部化粧板５で塞ぐので、オープンスペースを不要な隙間を形成することなく確実に間仕切ることができる。
【００２３】
（第二実施形態）
次に図３乃至図５を参照して、本発明の第二実施形態に係る間仕切り収納家具の設置構造について説明する。図３は本設置構造を示す正面図である。図４は当該設置構造において使用する枠体６を示す拡大平面図であり、図５は端板９を示す拡大斜視図である。
【００２４】
本発明の第二実施形態に係る間仕切り収納家具の設置構造は、廻り縁Ｍと幅木Ｈが存在しない住宅のオープンスペースに採用したものであり、その第一の特徴は、間仕切り収納家具１の上面と天井Ｔとの間に枠体６を配置したことである。
この枠体６は、間仕切り収納家具１の扉側（前側）と背板側（後側）に設けた一対の上部化粧材７と、その左右両端部を連結する一対の側板８で構成される。側板８の外側には肉細の端部８ａが突設されている。枠体６の表面は、収納家具１と同一色に設定している。そして、当該枠体６の側板８の外面だけを壁Ｋに当接させ、上部化粧材７と協働して、収納家具１と天井Ｔとの間を不要な隙間を形成することなく塞いでいる。
【００２５】
また、第二の特徴は、収納家具１と床Ｙとの間に設けた下部化粧板５と壁Ｋとの間に端板９を配置したことである。この端板９は、平面略Ｌ字状で正面が矩形状で側面には垂直状の外面が形成されている。そして、その垂直状外面を壁Ｋに当接させている。この端板９と下部化粧板５とによって、収納家具１と床Ｙとの間の隙間を塞いでいる。この端板９と下部化粧板５の表面も、収納家具１と同じ色に設定している。
【００２６】
この設置構造においても、家具の外側面を壁Ｋに当接させるので、壁Ｋを傷付けることがない。また、縦長化粧板３のみならず、上部化粧材７、下部化粧板５および端板９をあらかじめ収納家具１と同じ色に設定しているので、壁Ｋの色に合わせる作業を必要としない。
【００２７】
（第三実施形態）
次に図６乃至８を参照して、本発明の第三実施形態に係る間仕切り収納家具の設置構造について説明する。図６は本設置構造を示す正面図である。また、図７は当該設置構造に使用する枠体６を示す拡大平面図であり、図８は端板９を示す拡大斜視図である。
【００２８】
本発明の第三実施形態に係る間仕切り収納家具の設置構造は、廻り縁Ｍと幅木Ｈが存在するオープンスペースに採用したものであり、その特徴は、前記第二実施形態において使用したものと同一の枠体６を兼用し、かつ、その側板８に形成した肉細の両端部８ａを切除して、残部を内方に移動し、その側板８の外面と一対の上部化粧材７の端面７ａを廻り縁Ｍに当接させたことである（図７参照）。これにより、同一モジュールで製造した枠体６を、廻り縁Ｍが存在するオープンスペースと存在しないオープンスペースの両方で使用することができるので、設置作業が容易となる。
【００２９】
また、本実施形態では、端板９として、下部が切除された正面略逆Ｌ字状のものを使用して、その切除された段差状の外面を幅木Ｈに当接させている。これにより、幅木Ｈの存在する収納家具と床Ｙとの隙間を見栄え良く、確実に塞ぐことができる。
【００３０】
（第四実施形態）
次に図９及び図１０を参照して、本発明の第四実施形態に係る間仕切り収納家具の設置構造について説明する。図９は本設置構造を示す斜視図である。また、図１０は当該設置構造に使用する枠体６を示す拡大平面図であり、（ａ）は廻り縁Ｍが在在しない場合であり、（ｂ）は廻り縁Ｍが在在する場合を示している。
【００３１】
本発明の第四実施形態に係る間仕切り収納家具の設置構造の特徴は、間仕切り収納家具１の上面と天井Ｔとの間に、間仕切り収納家具１の扉側と背板側に設けた一対の上部化粧材７で外側に端部７ｂが突設された左右両端部を、側板８で連結した枠体６を配置し、オープンスペースに廻り縁Ｍが存在しない場合には、図１０（ａ）に示すように、側板８の外面と一対の上部化粧材７の端部７ｂの面７ｃを壁Ｋに当接させ、オープンスペースに廻り縁Ｍが存在する場合には、図１０（ｂ）に示すように、側板８を内方に移動した状態で突出する上部化粧材７端部７ｂの余剰部を切除して、その側板８の外面と切除された上部化粧材７の端面７ｄを廻り縁Ｍに当接させたことである。すなわち、上部化粧材７の端部７ｂの突設長さは、側板８の幅よりも隙間Ｓ分長くしてあり、廻り縁Ｍが存在する場合には側板８を隙間Ｓ分、内方に移動させ、側板８から突出した上部化粧材７の端部７ｂの部位だけを切除したものである。隙間Ｓ以下の厚みの廻り縁Ｍならば、様々な厚みのものに対応できる（廻り縁Ｍの厚さ分だけ側板を内方に移動した状態で突出する上部化粧材７端部７ｂの余剰分を切除することにより実現できる）。
これにより、同一モジュールで製造した枠体６を、廻り縁Ｍが存在するオープンスペースと存在しないオープンスペースの両方で使用することができるので、設置作業が容易となる。
【００３２】
また、本実施形態では、端板９として、平面略Ｌ字状で正面が矩形状で側面には垂直状の外面が形成されているものを使用して、その垂直状外面を壁Ｋに当接させている。幅木Ｈが存在する場合には、これにかえて、下部が切除された正面略逆Ｌ字状のものを使用して、その切除された段差状の外面を幅木Ｈに当接させる。なお、図９において、符号１０，１１はジョイント材を示している。
【００３３】
【発明の効果】
本発明の請求項１に記載の間仕切り収納家具の設置構造によれば、左右両端部に位置する家具の外側面をそれぞれ左右の壁に当接させて家具同士間に隙間を形成し、その隙間を縦長化粧板で閉塞したので、壁を傷付けることなく、確実に間仕切りすることができる。
従って、間仕切りを変更する場合でも、壁紙の張り替えや壁の修復が不要となるので設置作業が容易となる。
また、縦長化粧板の色を、壁の色に合わせる必要もないので、これによっても設置作業が容易となる。
【００３４】
また、請求項２に記載の発明によれば、請求項１に記載の発明の作用効果に加えて、間仕切り収納家具の下面に取付けたアジャスターによって、収納家具の上面を天井に当接させ、また、収納家具と床との隙間を下部化粧板で塞ぐので、オープンスペースを確実に間仕切ることができる。
また、下部化粧板によって収納家具と床との隙間を塞ぐので、作業が容易である。
【００３５】
さらに、請求項３又は請求項４に記載の発明によれば、請求項１または２に記載の発明の作用効果に加えて、間仕切り収納家具の上面と天井との間に枠体を配置し、この枠体を、オープンスペースに廻り縁が存在しない場合と、存在する場合の両方に兼用するので、設置作業が容易となる。
【００３６】
またさらに、請求項５に記載の発明によれば、請求項２乃至４のうちいずれか一つに記載の発明の作用効果に加えて、下部化粧板と壁との間に端板を配置するものとし、オープンスペースに幅木が存在しない場合には、正面矩形状のものを使用し、また、オープンスペースに幅木が存在する場合には、正面略逆Ｌ字状のものを使用するので、幅木の有無によって自由に選択することにより、設置作業を容易なものとすることができる。
【図面の簡単な説明】
【図１】本発明の第一実施形態に係る間仕切り収納家具の設置構造を示す正面図である。
【図２】図１に示す設置構造において使用する縦長化粧板を示す部分拡大斜視図である。
【図３】本発明の第二実施形態に係る間仕切り収納家具の設置構造を示す正面図である。
【図４】図３に示す設置構造において使用する枠体を示す拡大平面図である。
【図５】図３に示す設置構造において使用する端板を示す拡大斜視図である。
【図６】本発明の第三実施形態に係る間仕切り収納家具の設置構造を示す正面図である。
【図７】図６に示す設置構造において使用する枠体を示す拡大平面図である。
【図８】図６に示す設置構造において使用する端板を示す拡大斜視図である。
【図９】本発明の第四実施形態に係る間仕切り収納家具の設置構造を示す斜視図である。
【図１０】図９に示す設置構造において使用する枠体を示す拡大平面図であり、（ａ）は廻り縁が在在しない場合であり、（ｂ）は廻り縁が在在する場合を示している。
【符号の説明】
１      収納家具
２      突っ張り治具
３      縦長化粧板
４      アジャスター
５      下部化粧板
６      枠体
７      上部化粧材
７ａ    端面
７ｂ    端部
７ｃ    面
７ｄ    端面
８      側板
８ａ    端部
９      端板
１０      ジョイント材
１１      ジョイント材
Ｈ      幅木
Ｋ      壁
Ｍ      廻り縁
Ｓ      隙間
Ｔ      天井
Ｙ      床
【図１】
2004313599.tif 000003
【図２】
2004313599.tif 000004
【図３】
2004313599.tif 000005
【図４】
2004313599.tif 000006
【図５】
2004313599.tif 000007
【図６】
2004313599.tif 000008
【図７】
2004313599.tif 000009
【図８】
2004313599.tif 000010
【図９】
2004313599.tif 000011
【図１０】
2004313599.tif 000012